(57)【要約】【課題】  夜間において遠方からも近くからも充分に確認することができる安全ベストを提供する。【解決手段】  ベスト本体１における前身頃１Ａと後身頃１Ｂの外部から目立つ位置に、外部光を受けて反射する反射材ライン４と自発光するＥＬ平面発光体（ＥＬシート）５とを一緒に組み合わせて取り付ける。ＥＬ平面発光体（ＥＬシート）をユニットとし、該ＥＬ平面発光体ユニット６を、ベスト本体１に形成した収容袋に収容する。ＥＬ平面発光体を点灯させる制御手段と駆動電源を収納する電源ボックスを、ベスト本体１に形成した収容袋に収容する。【選択図】    図１
0003223168.tif 000002
【実用新案登録請求の範囲】
【請求項１】
ベスト本体における前身頃と後身頃の外部から目立つ適宜の位置に、外部光を受けて反射する反射材ラインと自発光するＥＬ平面発光体とを一緒に組み合わせて取り付けたことを特徴とする安全ベスト。
【請求項２】
ＥＬ平面発光体をユニットとし、ベスト本体における前身頃と後身頃の反射材ラインを取り付ける位置に、該反射材ラインに沿わせてＥＬ平面発光体ユニットの収容袋を形成すると共に、ベスト本体の適宜の位置に、ＥＬ平面発光体を発光させる制御手段と駆動電源を収納する電源ボックスの収容袋を形成し、これらの収容袋の夫々に、ＥＬ平面発光体ユニットと電源ボックスを収容してなる請求項１記載の安全ベスト。
【考案の詳細な説明】
【技術分野】
【０００１】
本考案は、夜間の作業時における作業者の安全を保つために作業者が着用する安全ベストに関するものである。
【背景技術】
【０００２】
夜間において行う道路工事や警備等においては、作業者の存在位置が充分に遠方からも近くからも確認でき、車両による人身事故が発生しないことが要求される。
【０００３】
このような人身事故を防止するために、従来、前身頃と後身頃に、外部光を受けて反射する反射材ラインを取り付けた安全ベルトや自発光するＬＥＤからなる発光体を取り付けた安全ベストが使用されている。
【０００４】
しかし、反射材ラインを取り付けたものは、遠方からの確認が困難であり、車両がかなり接近した位置においてはじめて作業者が着用するベストを確認することができる程度のものであり、充分な安全性が確保できないという問題点がある。
【０００５】
また、自発光するＬＥＤの発光体を取り付けたものは、遠方からでも作業者が着用するベストを確認することができるという利点を有するものの、眩し過ぎて運転者やベスト着用者の眼に対して悪影響を及ぼす虞があるという問題点がある。
更にまた、ＬＥＤの場合には、工事現場等で着用中にベストに穴があき、ＬＥＤが損傷すると発光しなくなるという問題点もある。
【０００６】
そしてまた、従来のベストにおいては、反射材ラインと自発光する発光体とを一緒に組み合わせて取り付けたものは存在しなかった。
【考案の概要】
【考案が解決しようとする課題】
【０００７】
本考案は上記の点に鑑みなされたものであって、反射材ラインと自発光する発光体とを一緒に組み合わせて取り付けることにより、自発光する発光体により遠方からでも充分にベストを確認することができると共に、反射材ラインによりかなり接近した位置においても確認することができ、しかも自発光する発光体として従来のＬＥＤに代えてＥＬ平面発光体（ＥＬシート）を用いることにより、眩しさが程よく軽減されて眼への悪影響も解消することができ、加えて、ＥＬ平面発光体（ＥＬシート）をユニットとし、ベスト本体における前身頃と後身頃の反射材ラインを取り付ける位置に、該反射材ラインに沿わせてＥＬ平面発光体ユニットの収容袋を形成すると共に、ベスト本体の適宜の位置に電源ボックスの収容袋を形成し、これらの収容袋の夫々にＥＬ平面発光体ユニットと電源ボックスを収容することにより、ベストの製作を手順よく行うことができると共に、着用したときにおいて動作の自由度を損ねることもないようにすることができる安全ベストを提供しようとするものである。
【課題を解決するための手段】
【０００８】
而して、本考案の要旨とするところは、ベスト本体における前身頃と後身頃の外部から目立つ適宜の位置に、外部光を受けて反射する反射材ラインと自発光するＥＬ平面発光体とを一緒に組み合わせて取り付けたことを特徴とする安全ベストにある。
【０００９】
また、上記構成において、ＥＬ平面発光体をユニットとし、ベスト本体における前身頃と後身頃の反射材ラインを取り付ける位置に、該反射材ラインに沿わせてＥＬ平面発光体ユニットの収容袋を形成すると共に、ベスト本体の適宜の位置に、ＥＬ平面発光体を点灯させる制御手段と駆動電源を収納する電源ボックスの収容袋を形成し、これらの収容袋の夫々に、ＥＬ平面発光体ユニットと電源ボックスを収容するようになしてもよい。
【考案の効果】
【００１０】
本考案は上記の如き構成であり、ベスト本体における前身頃と後身頃の外部から目立つ適宜の位置に、外部光を受けて反射する反射材ラインと自発光するＥＬ平面発光体（ＥＬシート）とを一緒に組み合わせて取り付けたことを特徴とするものであるから、夜間において行う道路工事や警備等において作業者が着用したときには、自発光するＥＬ平面発光体（ＥＬシート）により遠方からでも充分にベストを確認することができると共に、反射材ラインによりかなり接近した位置においても確認することができるものである。しかも、自発光する発光体として従来のＬＥＤに代えてＥＬ平面発光体（ＥＬシート）を用いているから、眩しさが程よく軽減されて眼への悪影響も解消することができるものである。また、発光体としての従来のＬＥＤの場合には、工事現場等で着用中にベストに穴があき、ＬＥＤが損傷すると発光しなくなるが、本考案において用いるＥＬ素材の場合は、損傷してもそのまま発光を継続するものである。また、ＥＬ平面発光体（ＥＬシート）を点灯させるための電源は、市販の単三アルカリ乾電池の使用で済むから、経済的であると共に、山中での作業現場など電源の無い場所でも使用することができ、更には軽量であるから、着用時において装着感を感じさせないものである。
【００１１】
また、ＥＬ平面発光体（ＥＬシート）をユニットとし、ベスト本体における前身頃と後身頃の反射材ラインを取り付ける位置に、該反射材ラインに沿わせてＥＬ平面発光体ユニットの収容袋を形成すると共に、ベスト本体の適宜の位置に、ＥＬ平面発光体（ＥＬシート）を点灯させる制御手段と駆動電源を収納する電源ボックスの収容袋を形成し、これらの収容袋の夫々に、ＥＬ平面発光体ユニットと電源ボックスを収容するようにした場合には、ベストの製作を手順よく行うことができるものである。即ち、前身頃と後身頃に反射材ラインを取り付けると共に、該反射材ラインに沿ったＥＬ平面発光体ユニットの収容袋と、電源ボックスの収容袋とを形成してなるベスト本体の製作と、ＥＬ平面発光体ユニットの製作と、ベスト本体に形成した前記ＥＬ平面発光体ユニットの収容袋と電源ボックスの収容袋の夫々に、ＥＬ平面発光体ユニットと電源ボックスとを収容する作業とを、夫々分けて行うことができるから、手順よく、効率的に製作することができるものである。また、フレキシブルなＥＬ平面発光体ユニットは、ベスト本体に形成したＥＬ平面発光体ユニットの収容袋の中において長さ方向（反射材ラインに沿った方向）に自由にずれることが可能であるから、ベスト着用者の動作に影響を与えない、即ち窮屈感を与えないものである。
【図面の簡単な説明】
【００１２】
【図１】本考案の実施形態に係る安全ベストの正面図である。
【図２】同背面図である。
【図３】同ベスト本体の前身頃を開いて電源ボックスの収容状態を示す斜視図である。
【図４】図１中Ａ部分の拡大平断面図である。
【図５】同ＥＬ平面発光体ユニットの説明図である。
【図６】図５中Ｂ部分の拡大詳細説明図である。
【図７】図６に示す作業の完成図である。
【図８】電源ボックスの斜視図である。
【図９】電源ボックスの蓋を外した状態の斜視図である。
【考案を実施するための形態】
【００１３】
以下、本考案を実施するための形態について、図面を参照して説明する。
【００１４】
図中、１はベスト本体であり、前身頃１Ａと後身頃１Ｂとからなるものである。尚、該ベスト本体１は、蛍光色ナイロン系素材を用いて製作している。また、該ベスト本体１における前身頃１Ａは、中央部においてファスナー２により開閉することができるようになされている。更にまた、該ベスト本体１における前身頃１Ａには、胸と腹の部分に夫々袋３が設けられている。
【００１５】
４は前記ベスト本体１における前身頃１Ａと後身頃１Ｂの外部から目立つ位置に取り付けた、外部光を受けて反射する反射材ラインである。また、該反射材ライン４は、本実施形態においては、ベスト本体１における前身頃１Ａと後身頃１Ｂの腹部と腰部を取り巻くように取り付けられた２本と、前身頃１Ａから肩を経て後身頃１Ｂにかけて掛け回された左右の２本とが取り付けられている。
【００１６】
５はＥＬ平面発光体（ＥＬシート）であり、前記反射材ライン４に沿って、これの表面側に等間隔に取り付けられている。尚、該ＥＬ平面発光体５は、有機ＥＬ、無機ＥＬのいずれでもよい。また、該ＥＬ平面発光体（ＥＬシート）５は、本実施形態においては、図５に示す如きＥＬ平面発光体ユニット６としてベスト本体１に取り付けられている。
【００１７】
図５に示したＥＬ平面発光体ユニット６は、帯状の透明樹脂シート７に複数（本実施形態においては６枚）のＥＬ平面発光体（ＥＬシート）５を直列に配置してなるものを一単位とし、これをベスト本体１の前身頃１Ａと後身頃１Ｂに合わせて４単位として、各単位相互の間をリード線８で接続してなるものである。また、Ｐは該ＥＬ平面発光体ユニット６を後記電源ボックスに接続するプラグである。尚、図６及び図７には各単位相互の間をリード線８で接続する際の説明を示しており、ＥＬ平面発光体（ＥＬシート）５に金属端子５ａを取り付け、リード線８を該金属端子５ａに半田付けし、その後収縮チューブ９を被せて絶縁処理を行うものである。
【００１８】
そして、該ＥＬ平面発光体ユニット６は、ベスト本体１における前身頃１Ａと後身頃１Ｂの前記反射材ライン４を取り付ける位置に、これと一緒に取り付けるが、この取り付けは、ベスト本体１に、該反射材ライン４に沿わせて形成した収容袋に挿し込んで収容するものである。即ち、ベスト本体１には、図４に示す如く、ベスト本体１の外面に、反射材ライン４と透明な樹脂シート１０とを後者を外側にして重ね、この状態においてこれらの両側縁部を縫着１１、１１し、もって該反射材ライン４と透明な樹脂シート１０との間にＥＬ平面発光体ユニット６の収容袋１２を形成する。そして、ＥＬ平面発光体ユニット６は、該収容袋１２に一端側から挿し込んで収容するものである。尚、該収容袋１２は、ベスト本体１における前身頃１Ａと後身頃１Ｂの肩を経て掛け回された左右の反射材ライン４と、腹部を取り巻くように取り付けられた反射材ライン４の夫々の位置に形成されている。
【００１９】
１３は前記ＥＬ平面発光体（ＥＬシート）５を点灯させる制御手段（図示せず。）と駆動電源１４を収納する電源ボックスである。また、該電源ボックス１３の外面には、電源スイッチ１５、連続点灯と点滅点灯の切替スイッチ１６、更に作動ランプ１７が備えられている。尚、前記駆動電源１４としては市販の単三アルカリ乾電池を用いるものである。
【００２０】
そして、該電源ボックス１３は、ベスト本体１の適宜の位置（本実施形態においてはベスト本体１における前身頃１Ａの裏面）に形成した収容袋１８に収容している。
【００２１】
次に、本実施形態の作用について説明する。
ベスト本体１を着用し、電源ボックス１３の電源スイッチ１５を入れると、ＥＬ平面発光体ユニット６の各ＥＬ平面発光体（ＥＬシート）５が点灯するものである。尚、各ＥＬ平面発光体（ＥＬシート）５の連続点灯と点滅点灯の切替えは、これの切替スイッチ１６によって行うものである。そして、ベスト本体１には外部光を受けて反射する反射材ライン４と自発光するＥＬ平面発光体（ＥＬシート）５とが一緒に組み合わせて取り付けてあることから、夜間において自発光するＥＬ平面発光体（ＥＬシート）５により遠方からでも充分にベストを確認することができると共に、反射材ライン４によりかなり接近した位置においても確認することができるものである。しかも、自発光する発光体として従来のＬＥＤに代えてＥＬ平面発光体（ＥＬシート）５を用いているから、眩しさが程よく軽減されて眼への悪影響も解消することができるものである。また、発光体としてのＬＥＤの場合には、工事現場等でベストに穴があき、ＬＥＤが損傷すると発光しなくなるが、本考案において用いるＥＬ素材の場合は、損傷してもそのまま発光を継続するものである。また、ＥＬ平面発光体（ＥＬシート）５を点灯させるための電源は、市販の単三アルカリ乾電池の使用で済むから、経済的であると共に、山中での作業現場など電源の無い場所でも使用することができ、更には軽量であるから、着用時において装着感を感じさせないものである。
【００２２】
また、本実施形態においては、ＥＬ平面発光体（ＥＬシート）５をユニット６とし、ベスト本体１における前身頃１Ａと後身頃１Ｂの反射材ライン４を取り付ける位置に、該反射材ライン４に沿わせてＥＬ平面発光体ユニットの収容袋１２を形成すると共に、ベスト本体１における前身頃１Ａの裏面に、ＥＬ平面発光体（ＥＬシート）５を点灯させる制御手段（図示せず。）と駆動電源１４を収納する電源ボックス１３の収容袋１８を形成し、これらの収容袋１２、１８の夫々に、ＥＬ平面発光体ユニット６と電源ボックス１３を収容するようになしているから、ベストの製作を手順よく行うことができるものである。即ち、前身頃１Ａと後身頃１Ｂに反射材ライン４を取り付けると共に、該反射材ライン４に沿ったＥＬ平面発光体ユニットの収容袋１２と、電源ボックスの収容袋１８とを形成してなるベスト本体１の製作と、ＥＬ平面発光体ユニット６の製作と、ベスト本体１に形成した前記ＥＬ平面発光体ユニットの収容袋１２と電源ボックスの収容袋１８の夫々に、ＥＬ平面発光体ユニット６と電源ボックス１３とを収容する作業とを、夫々分けて行うことができるから、手順よく、効率的に製作することができるものである。また、フレキシブルなＥＬ平面発光体ユニット６は、ベスト本体１に形成したＥＬ平面発光体ユニットの収容袋１２の中において長さ方向（反射材ラインに沿った方向）に自由にずれることが可能であるから、ベスト着用者の動作に影響を与えない、即ち窮屈感を与えないものである。
【符号の説明】
【００２３】
１  ベスト本体
４  反射材ライン
５  ＥＬ平面発光体（ＥＬシート）
６  ＥＬ平面発光体ユニット
１０  透明な樹脂シート
１１  縫着部
１２  ＥＬ平面発光体ユニットの収容袋
１３  電源ボックス
１４  駆動電源
１８  電源ボックスの収容袋
【図１】
0003223168.tif 000003
【図２】
0003223168.tif 000004
【図３】
0003223168.tif 000005
【図４】
0003223168.tif 000006
【図５】
0003223168.tif 000007
【図６】
0003223168.tif 000008
【図７】
0003223168.tif 000009
【図８】
0003223168.tif 000010
【図９】
0003223168.tif 000011